(57)【要約】【課題】入力された緊急情報を、配信を希望するユーザのクライアントに配信するのに有効なサーバ装置を提供する。【解決手段】緊急情報をクライアントに配信するサーバ装置７００は、登録されたクライアント毎に緊急情報の配信設定を管理する配信設定管理部７０３と、緊急情報アイテムを受ける入力部７０１と、配信設定管理部７０３に管理された配信設定を参照して、登録されたクライアントの中から、緊急情報アイテムを配信すべきクライアントを特定するクライアント特定部７０４と、クライアント特定部７０４によって特定されたクライアントに、緊急情報アイテムを送信する送信部７０２と、を備える。【選択図】図７
2013211816.tif 000002
【特許請求の範囲】
【請求項１】
緊急情報をクライアントに配信するサーバ装置であって、
登録されたクライアント毎に、緊急情報の配信設定を管理する配信設定管理部と、
緊急情報アイテムを受ける入力部と、
前記配信設定管理部に管理された配信設定を参照して、登録されたクライアントの中から、前記入力部が受けた緊急情報アイテムを配信すべきクライアントを特定するクライアント特定部と、
前記クライアント特定部によって特定されたクライアントに、前記緊急情報アイテムを送信する送信部と
を備えたサーバ装置。
【請求項２】
請求項１記載のサーバ装置において、
前記配信設定管理部は、登録されたクライアント毎に、配信を希望する緊急情報の対象エリアについて設定が可能であり、
前記クライアント特定部は、前記配信設定管理部に設定された対象エリアが、前記緊急情報アイテムが関わるエリアに含まれているクライアントを、当該緊急情報アイテムを配信すべきクライアントとして特定する
ことを特徴とするサーバ装置。
【請求項３】
請求項１または２記載のサーバ装置において、
クライアントの現在位置を示す位置情報を受信する受信部を備え、
前記クライアント特定部は、前記受信部によって受信した位置情報が、前記緊急情報アイテムが関わるエリアに含まれているクライアントを、当該緊急情報アイテムを配信すべきクライアントとして特定する
ことを特徴とするサーバ装置。
【請求項４】
請求項１〜３のうちいずれか１項記載のサーバ装置において、
前記配信設定管理部は、登録されたクライアント毎に、当該クライアントのユーザが安否を知りたい人のクライアントである近親者クライアントについて設定が可能であり、
前記クライアント特定部は、前記受信部によって受信した近親者クライアントの位置情報が、前記緊急情報アイテムが関わるエリアに含まれているクライアントを、配信すべきクライアントとして特定する
ことを特徴とするサーバ装置。
【請求項５】
請求項１記載のサーバ装置において、
前記配信設定管理部は、登録されたクライアント毎に、配信を希望する緊急情報の言語について設定が可能であり、
前記送信部は、前記緊急情報アイテムを、当該クライアントについて前記配信設定管理部に設定された言語に変換して、送信する
ことを特徴とするサーバ装置。
【請求項６】
請求項１記載のサーバ装置において、
前記配信設定管理部は、登録されたクライアント毎に、配信を希望する緊急情報の緊急度について設定が可能であり、
前記クライアント特定部は、前記緊急情報アイテムの緊急度が、前記配信設定管理部に設定された緊急度以上であるクライアントを、配信すべきクライアントとして特定する
ことを特徴とするサーバ装置。
【請求項７】
請求項１記載のサーバ装置において、
前記緊急情報は、自然災害に関する速報または警報を含む
ことを特徴とするサーバ装置。
【請求項８】
デジタル放送信号を受信する放送受信部と、
前記デジタル放送信号から所定の種類のストリームを分離する分離部と、
前記分離部によって分離された所定の種類のストリームを、前記デジタル放送信号と異なる別のストリームに多重化する多重化部と、
前記多重化部によって多重化されたストリームを、無線又は有線を用いたネットワークで送信するネット送信部とを備えた
ことを特徴とするサーバ装置。
【請求項９】
請求項８記載のサーバ装置において、
前記所定の種類のストリームは、文字スーパーである
ことを特徴とするサーバ装置。
【請求項１０】
請求項９記載のサーバ装置において、
前記分離部は、前記所定の種類のストリームとして、自然災害に関する速報または警報を含む緊急情報を示す文字スーパーを、分離する
ことを特徴とするサーバ装置。
【請求項１１】
サーバ装置から多重化されたストリームを受信し、再生する端末装置であって、
前記サーバ装置は、
デジタル放送信号から所定の種類のストリームを分離する分離部と、
前記分離部によって分離された所定の種類のストリームを、前記デジタル放送信号と異なる別のストリームに多重化する多重化部と、
前記多重化部によって多重化されたストリームを、無線又は有線を用いたネットワークで送信するネット送信部とを備え、
前記端末装置は、
前記多重化されたストリームを、前記ネットワークから受信するネット受信部と、
前記ネット受信部によって受信されたストリームの表示映像に、前記所定の種類のストリームを重畳する重畳部とを備えた
ことを特徴とする端末装置。
【発明の詳細な説明】
【技術分野】
【０００１】
本開示は、緊急情報をクライアントに送信するサーバ装置に関するものである。
【背景技術】
【０００２】
特許文献１では、タイムフリー再生中に文字スーパーの放送が受信された場合に、この文字スーパーをリアルタイムに視聴できるように、再生映像に重畳して表示させている。
【先行技術文献】
【特許文献】
【０００３】
【特許文献１】特開２００４−７２４３９号公報
【発明の概要】
【発明が解決しようとする課題】
【０００４】
本開示は、入力された緊急情報を、配信を希望するユーザのクライアントに配信するのに有効なサーバ装置を提供する。
【課題を解決するための手段】
【０００５】
本開示における、緊急情報をクライアントに配信するサーバ装置は、登録されたクライアント毎に緊急情報の配信設定を管理する配信設定管理部と、緊急情報アイテムを受ける入力部と、配信設定管理部に管理された配信設定を参照して、登録されたクライアントの中から、入力部が受けた緊急情報アイテムを配信すべきクライアントを特定するクライアント特定部と、クライアント特定部によって特定されたクライアントに、緊急情報アイテムを送信する送信部と、を備える。
【０００６】
本開示におけるサーバ装置は、デジタル放送信号を受信する放送受信部と、デジタル放送信号から所定の種類のストリームを分離する分離部と、分離部によって分離された所定の種類のストリームを、デジタル放送信号と異なる別のストリームに多重化する多重化部と、多重化部によって多重化されたストリームを、無線又は有線を用いたネットワークで送信するネット送信部と、を備える。
【０００７】
本開示における端末装置は、上述のサーバ装置から多重化されたストリームを受信し再生するものであり、多重化されたストリームをネットワークから受信するネット受信部と、ネット受信部によって受信されたストリームの表示映像に所定の種類のストリームを重畳する重畳部と、を備える。
【発明の効果】
【０００８】
本開示におけるサーバ装置は、入力された緊急情報を、配信を希望するユーザのクライアントに配信するのに有効である。
【図面の簡単な説明】
【０００９】
【図１】実施形態に係るサーバ装置の構成図
【図２】ＴＳデータを多重分離する方法を示す図
【図３】実施形態に係るクライアント端末の構成図
【図４】文字スーパーを重畳したときの表示画面の例を示す図
【図５】図１の構成を変形した一例を示すサーバ装置の構成図
【図６】図１の構成を変形した他の例を示すサーバ装置の構成図
【図７】実施形態に係るサーバ装置の構成図
【図８】配信設定管理部で管理される配信設定の一例
【図９】端末装置における配信設定画面の例
【図１０】サーバ装置の動作例を示すフローチャート
【図１１】緊急情報が配信された画面の例
【図１２】実施形態を組み合わせた場合におけるサーバ装置の構成図
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、発明者（ら）は、当業者が本開示を十分に理解するために添付図面および以下の説明を提供するのであって、これらによって特許請求の範囲に記載の主題を限定することを意図するものではない。
【００１２】
（実施の形態１）
従来からデジタルテレビジョン放送において、自然災害に関する臨時ニュースや緊急ニュースの重畳文字情報（文字スーパー）を、背景画像と重ねて表示させるスーパインポーズが用いられている。
【００１３】
特許文献１では、デジタル放送信号を復号して表示された画像に、デジタル放送信号から検出された文字スーパーを重畳しているので、デジタル放送受信機能を持つ機器では、タイムフリー再生中でも自然災害に関する臨時・緊急ニュースを知ることができる。しかしながら、デジタル放送受信機能を持たない機器での視聴の場合には、自然災害に関する臨時・緊急ニュースが伝わらず、使用者は緊急時の情報を知ることができない。
【００１４】
［１−１．サーバ装置］
図１は本実施形態に係るサーバ装置の構成を示す図である。図１のサーバ装置１００は、放送受信部１０１、ＴＳ多重分離部１０２、記憶媒体１０３、ＴＳ多重化部１０４、ネット送信部１０５を備える。
【００１５】
放送受信部１０１は、デジタル放送受信用のチューナーであり、デジタル放送信号を受信し、復調及びデスクランブルしてトランスポートストリームデータ（以下、ＴＳデータと呼ぶ）に復号し、ＴＳ多重分離部１０２へ出力する。
【００１６】
図２はＴＳデータを多重分離する方法を示す。図２（ａ）はＴＳデータの構成単位である固定長（１８８バイト）のＴＳパケットを示しており、ＴＳパケットの先頭部にヘッダがあり、その後にデータが続く。ヘッダの中にはＰＩＤ（Ｐａｃｋｅｔ  ＩＤ）と呼ばれるパケット識別番号が付与されており、このＰＩＤによって、ＴＳデータを受信したときに、どのＴＳパケットがどのグループに属しているかを識別することが可能となる。例えば、図２（ｂ）に示すように、映像（Ｖと表記）と音声（Ａと表記）と文字スーパー（Ｓと表記）のＴＳパケットが混在するようなＴＳデータの場合、映像ＴＳパケットのＰＩＤを０ｘ１０１１、音声ＴＳパケットのＰＩＤを０ｘ１１００、文字スーパーＴＳパケットのＰＩＤを０ｘ０１１５というように、一意に決まる識別子を付与しておく。このＰＩＤを用いて図２（ｃ）のように映像、音声、文字スーパーのＴＳパケットをそれぞれ分離することができる。
【００１７】
デジタル放送で使用されるＴＳデータの種類としては、映像、音声、字幕、データ放送、文字スーパーの他に、ＴＳデータに付随する各種情報を紐付けるＰＳＩ（Program Specific Information、番組特定情報：ＰＡＴ(Program Association Table)、ＰＭＴ(Program Map Table)、ＮＩＴ(Network Information Table)、ＣＡＴ(Conditional Access Table)）やＳＩ（Service Information、番組配列情報）等がある。
【００１８】
図１に戻り、ＴＳ多重分離部１０２は、放送受信部１０１から送られてきた放送ＴＳデータのＰＩＤをチェックし、文字スーパーに紐付けられたＰＩＤのＴＳパケットのみを抽出して文字スーパーＴＳデータを生成し、ＴＳ多重化部１０４へ出力する。
【００１９】
記憶媒体１０３は、例えばＨＤＤのような、デジタル放送やビデオカメラで撮影した動画のＴＳデータを記憶しておく記憶媒体である。記憶媒体１０３はＨＤＤに限らず、ＳＳＤ、あるいは、ドライブに挿入して使用可能になるＳＤカード、ＵＳＢメモリ、ＵＳＢ−ＨＤＤ、Ｂｌｕ−ｒａｙメディア等の取り外し可能な記憶媒体でもよく、データを記憶できる媒体であれば何でもよい。また、記憶媒体１０３に記憶されるデータは、デジタル放送やビデオカメラで撮影したＴＳデータに限らず、他形式のマルチメディアコンテンツでもよい。他形式のマルチメディアコンテンツとしては、例えば、写真データや音楽データ、あるいは、ネットからダウンロードしたコンテンツ等がある。
【００２０】
ＴＳ多重化部１０４は、ＴＳ多重分離部１０２から送られてきた文字スーパーＴＳデータと、記憶媒体１０３から出力されたＴＳデータをＴＳパケット単位で多重化し、ネット送信部１０５へ出力する。
【００２１】
ネット送信部１０５は、ＴＳ多重化部１０４で多重化された再多重化ＴＳデータをネット送信可能な形式に変換し、ＤＬＮＡ(Digital Living Network Alliance)等の伝送方式により有線又は無線ネットワークに送信する。なお、放送受信部１０１で受信した放送データを記憶媒体１０３に記録することも可能である。
【００２２】
ここで、サーバ装置１００の内部構成を変えることができる。例えば、放送受信部１０１は、デジタル放送受信用のチューナーに限られない。サーバ装置１００にＳＴＢ（セットトップボックス）をイーサネット（登録商標）やｉＬＩＮＫ等で接続し、これらの接続端子から放送ＴＳデータを受信するようにしてもよい。
【００２３】
また、ＴＳ多重分離部１０２で抽出するＴＳデータは文字スーパーに限られず、臨時・緊急ニュースを伝える映像、音声、字幕、データ放送等、ＴＳデータに含まれているデータであれば何でもよい。この場合、例えば、緊急情報に関するＴＳデータに独自のＰＩＤを付加することによって、他のＴＳデータとの切り分けが可能になる。例えば、ＴＳ多重分離部１０２は、文字スーパーであるＴＳパケットのうち、緊急情報を示すＰＩＤが付加されたＴＳパケットを分離するようにしてもよい。この場合の緊急情報は、例えば、自然災害に関する速報または警報を含んでいる。
【００２４】
また、放送受信部１０１では、デジタル放送の複数チャンネルのＴＳデータを取得できるが、どのチャンネルのＴＳデータを使用するかは、ユーザが選択してもよい。
【００２５】
また、複数の端末装置に対して同時にＴＳデータを送信する際は、端末装置ごとに異なるチャンネルのＴＳデータを使用してもよいし、全ての端末装置に対して同一チャンネルのＴＳデータを使用してもよく、端末装置とチャンネルの組み合わせは何でもよい。
【００２６】
［１−２．端末装置］
図３は本実施形態に係る端末装置の構成を示す図である。図３の端末装置３００は、ネット受信部３０１、ＴＳ多重分離部３０２、ＴＳ復号部３０３、音声出力部３０４、文字重畳部３０５、および映像出力部３０６を備えている。さらに、ＴＳ復号部３０３は、音声復号部３１１、映像復号部３１２、および文字スーパー復号部３１３を備えている。
【００２７】
ネット受信部３０１は、有線又は無線ネットワークで送信されたデータを受信し、ＴＳデータに復号してＴＳ多重分離部３０２へ出力する。
【００２８】
ＴＳ多重分離部３０２は、サーバ装置１００のＴＳ多重分離部１０２と同じように、ＴＳデータを構成するＴＳパケットのＰＩＤをチェックし、ＰＩＤごとにＴＳデータを分離し、それぞれのＴＳデータをＴＳ復号部３０３へ出力する。このとき、音声のＰＩＤを持つＴＳデータは音声復号部３１１へ、映像のＰＩＤを持つＴＳデータは映像復号部３１２へ、文字スーパーのＰＩＤを持つＴＳデータは文字スーパー復号部３１３へそれぞれ出力する。なお、ＴＳ多重分離部３０２に入力されるＴＳデータの種類は、音声、映像、文字スーパーに限らず、他の種類のＴＳデータが含まれていてもよい。
【００２９】
ＴＳ復号部３０３は、ＴＳ多重分離部３０２で分離された各ＰＩＤのＴＳデータをそれぞれ復号する処理を行う部分である。音声復号部３１１は、音声ＴＳデータを復号してベースバンドの音声データを生成し、音声出力部３０４へ出力する。映像復号部３１２は、映像ＴＳデータを復号してベースバンドの映像データを生成し、文字重畳部３０５へ出力する。文字スーパー復号部３１３は、文字スーパーＴＳデータを復号してベースバンドの文字データを生成し、文字重畳部３０５へ出力する。
【００３０】
音声出力部３０４は、例えば、音声出力端子であり、ヘッドホン等を接続することにより音声を聞くことができる。文字重畳部３０５は、ベースバンドの映像に対して文字データを重畳し、文字を重畳した映像データを映像表示部３０６へ出力する。映像出力部３０６は、例えば、端末のディスプレイであり、ディスプレイ上に映像データが表示される。図４は端末装置３００の映像出力部３０６に、映像データ４０１に文字スーパーの文字データ４０２を重畳した映像を表示した例を示す。
【００３１】
なお、本実施形態では、文字スーパーがある場合は必ず映像に重畳されるが、ユーザ操作によって重畳する／重畳しないを選択してもよい。
【００３２】
［１−３．効果等］
以上のように、本実施の形態において、サーバ装置１００は、放送受信部１０１と、ＴＳ多重分離部１０２と、ＴＳ多重化部１０４と、ネット送信部１０５と、を備える。放送受信部１０１は、デジタル放送信号を受信する。ＴＳ多重分離部１０２は、デジタル放送信号から所定の種類のストリーム、例えば文字スーパーＴＳデータを分離する。ＴＳ多重化部１０４は、分離された文字スーパーＴＳデータを、デジタル放送信号と異なる別のＴＳデータに多重化する。ネット送信部１０５は、多重化されたＴＳストリームを無線又は有線を用いたネットワークで送信する。
【００３３】
これにより、端末装置３００側では、デジタル放送を受信しなくても、デジタル放送に含まれた所定の種類のストリーム、例えば文字スーパーＴＳデータを取得できる。したがって、例えば、端末装置３００では、自然災害に関する速報または警報を含む緊急情報を示す文字スーパーを表示することができる。
【００３４】
［１−４．変形例］
図５は図１のサーバ装置に対して一部構成を変形した例である。図５のサーバ装置５００は、放送受信部１０１、ＴＳ多重分離部１０２、記憶媒体１０３、ＴＳ多重化部５０４、ネット送信部１０５、およびデータ変換部５０６を備えている。さらに、データ変換部５０６は、ＴＳ多重分離部５１１、および変換部５１２を備えている。
【００３５】
データ変換部５０６は、記憶媒体１０３に記憶されているＴＳデータを変換してＴＳ多重化部５０４に送出する。ＴＳ多重分離部５１１は、記憶媒体１０３から出力されたＴＳデータのＰＩＤをチェックしてＰＩＤごとにＴＳデータを分離し、映像ＴＳデータは変換部５１２に送出し、映像及び文字スーパー以外のＴＳデータはＴＳ多重化部５０４に送出する。変換部５１２は、ＴＳ多重分離部５１１から送られてきた映像ＴＳデータをＥＳ(Elementary Stream)に展開した上でベースバンドの映像データに復号し、再度符号化されたＴＳデータをＴＳ多重化部５０４に送出する。このとき、例えば、ネットワークの帯域に応じて、データのビットレートを低減することによって、途切れのないスムーズな送信を行うことが可能となる。ＴＳ多重化部５０４は、ＴＳ多重分離部１０２から送られてきた文字スーパーＴＳデータ、変換部５１２から送られてきた再符号化された映像ＴＳデータ、ＴＳ多重分離部５１１から送られてきた映像、及び文字スーパー以外のＴＳデータをパケット単位で多重化し、ネット送信部へ送出する。
【００３６】
なお、データ変換部５０６は、ＴＳデータの変換だけでなく、ラジオ放送やＦＭ放送のデータをＴＳデータに変換したり、写真データやビデオカメラの動画データをスライドショーのように組み合わせた映像をＴＳデータに変換したりしてもよい。
【００３７】
図６は図１のサーバ装置に対して一部構成を変更した他の例である。図６のサーバ装置６００は、放送受信部１０１、ＴＳ多重分離部１０２、記憶媒体１０３、ＴＳ多重化部１０４、ネット送信部１０５、および言語変換部６０６を備えている。
【００３８】
図６において、言語変換部６０６は、ＴＳ多重分離部１０２から送られてきた文字スーパーＴＳデータを復号して文字情報を生成し、他の言語に変換した後に、再び符号化して文字スーパーＴＳデータを生成する。他言語に変換された文字スーパーＴＳデータは、ＴＳ多重化部１０４に送出される。
【００３９】
なお、言語変換部６０６において、変換後の文字コードが存在しないような場合には、文字を画像として表現し、文字スーパーとして符号化してもよい。
【００４０】
なお、言語変換部６０６は、ここでは文字スーパーＴＳデータを変換しているが、対象は文字スーパーに限らず、音声データや字幕データのように言語変換できるものであればその対象としてもよい。
【００４１】
なお、サーバ装置は、デジタル放送受信機能とＤＬＮＡ送信機能を持った機器であれば特に専用の機能を追加することなく、本実施形態の機能を実現できる。同様に、端末装置は、ＤＬＮＡ受信機能を持った機器であれば、緊急情報受信専用の通信機能を持たなくても、本実施形態の機能を実現できる。
【００４２】
なお、本実施形態では、デジタルテレビジョン放送を例にとって説明を行ったが、デジタルテレビジョン放送に限らず、デジタルラジオやＤＡＢ(Digital Audio Broadcast)等における付加情報を幅広く利用できる。また、端末装置で宅内のＤＬＮＡだけでなく宅外アクセス時にも、多重化された受信データの付加情報を、デジタルテレビジョン放送に限らず、デジタルラジオやＤＡＢ等に幅広く利用できる。
【００４３】
（実施形態２）
［２−１．構成］
図７は本実施形態に係るサーバ装置の概略構成を示す図である。図７に示すサーバ装置７００は、受けた緊急情報アイテムを、所定の条件に該当するクライアント（例えば端末装置）に配信するものである。図７において、入力部７０１は、サーバ装置７００の外部から緊急情報アイテムを受ける。この緊急情報アイテムは、例えば、デジタルテレビジョン放送に含まれた文字や音声による付加情報である。あるいは、デジタルラジオやＤＡＢ等における付加情報を利用してもよい。
【００４４】
配信設定管理部７０３は、サーバ装置７００に登録されたクライアント毎に、緊急情報の配信設定を管理する。クライアント特定部７０４は、配信設定管理部７０３に管理された配信設定を参照して、登録されたクライアントの中から、入力部７０１が受けた緊急情報アイテムを配信すべきクライアントを特定する。送信部７０２は、クライアント特定部７０４によって特定されたクライアントに、入力部７０１が受けた緊急情報アイテムを緊急情報として送信する。また、受信部７０５は、クライアントの現在位置を示す位置情報、例えばＧＰＳ情報等を受信する。この位置情報は、配信すべきクライアントの特定のために利用される。
【００４５】
図８は配信設定管理部７０３において管理される配信設定の一例である。図８（ａ）は基本配信設定の例であり、各クライアントがＩＤによって管理されており、クライアント情報として、ユーザの氏名、住所、電話番号、および配信先メールアドレスが登録されている。またクライアント毎に、配信対象エリア、緊急度、および配信言語が設定可能になっている。各ユーザは例えば、端末装置に表示される図９のような配信設定画面を利用して、配信設定を行うことができる。
【００４６】
配信対象エリアは、配信を希望する緊急情報の対象エリアを示すものであり、選択されたエリアに関わる緊急情報アイテムがそのクライアントに配信される。例えば、関東地方、近畿地方といった地方別や、北海道、青森県というように都道府県別に、緊急情報アイテムの配信を希望するエリアを登録することができる。これにより、各クライアントは、自分の住所や現在地以外の緊急情報も受信することができる。
【００４７】
緊急度は、配信を希望する緊急情報の緊急度を示すものであり、選択された緊急度以上の緊急情報アイテムがそのクライアントに配信される。なお、配信対象エリア毎に、緊急度を設定可能にしてもよい。配信言語は、配信を希望する緊急情報の言語を示すものであり、緊急情報が選択された言語に変換されて配信される。
【００４８】
図８（ｂ）は近親者設定の例であり、各クライアントに対して、ユーザが緊急時の安否を知りたい人のクライアントである近親者クライアントの情報、例えばＩＤ、当該クライアントとの関係等が登録されている。この近親者の登録や変更についても、各ユーザは、端末装置の設定画面を利用して行うことができる。近親者クライアントを管理することによって、後述するように、緊急情報アイテムが関わるエリアに近親者クライアントの位置情報が含まれているとき、当該クライアントの配信設定にかかわらず、緊急情報を送信する、といったサービスが可能となる。
【００４９】
［２−２．動作］
図１０はサーバ装置７００の動作例を示すフローチャートである。図１０に示すように、入力部７０１が緊急情報アイテムを受けると（Ｓ１でＹＥＳ）、登録された各クライアントについて、この緊急情報アイテムを配信すべきか否かを確認する処理を実行する（Ｓ２）。確認処理を行うクライアントについて、まず、配信設定管理部７０３において管理された配信設定を参照して、当該クライアントが設定した配信対象エリアを取得する（Ｓ３）。そして、取得した配信対象エリアが緊急情報のエリアに含まれるとき（Ｓ４でＹＥＳ）、このクライアントを配信すべきクライアントとして特定し、緊急情報を送信する（Ｓ５）。
【００５０】
一方、取得した配信対象エリアが緊急情報のエリアに含まれないときは（Ｓ４でＮＯ）、受信部７０５が当該クライアントの位置情報を受信する（Ｓ６）。そして、受信した位置情報が緊急情報のエリアに含まれているとき（Ｓ７でＹＥＳ）、このクライアントを配信すべきクライアントとして特定し、緊急情報を送信する（Ｓ５）。また、受信した位置情報が緊急情報のエリアに含まれていないときは（Ｓ７でＮＯ）、受信部７０５が近親者クライアントの位置情報を受信する（Ｓ８）。近親者クライアントの特定は、配信設定管理部７０３において管理された近親者設定を参照することによって行う。そして、受信した近親者クライアントの位置情報が緊急情報のエリアに含まれているとき（Ｓ９でＹＥＳ）、このクライアントを配信すべきクライアントとして特定し、緊急情報を送信する（Ｓ５）。そうでないときは、配信をせずに、次のクライアントの確認処理に移る。
【００５１】
なお、図１０の動作フローでは、配信対象エリア、クライアントの位置情報、近親者クライアントの位置情報の順に判定を行っているが、判定の順序はこれに限られるものではなく、例えば、クライアントの位置情報を用いた判定を最初に行ってもよい。
【００５２】
図１１は緊急情報が配信された端末装置の画面の例である。図１１の緊急情報は、端末装置のユーザの近親者である△△さんの現在位置に関するものとしている。これにより、ユーザは、安否を知りたい人の現在位置に関する緊急情報を知ることができる。
【００５３】
［２−３．効果］
以上のように、本実施の形態において、緊急情報をクライアントに配信するサーバ装置７００は、緊急情報アイテムを受ける入力部７０１と、配信設定管理部７０３と、クライアント特定部７０４と、送信部７０２を備える。配信設定管理部７０３は、登録されたクライアント毎に、緊急情報の配信設定を管理する。クライアント特定部７０４は、配信設定管理部に管理された配信設定を参照して、登録されたクライアントの中から、入力部７０１が受けた緊急情報アイテムを配信すべきクライアントを特定する。送信部７０２は、クライアント特定部７０４によって特定されたクライアントに、入力部７０１が受けた緊急情報アイテムを送信する。
【００５４】
これにより、サーバ装置は、入力された緊急情報アイテムを、緊急情報の配信設定に基づいて特定されたクライアントに送信する。このため、緊急情報が、配信を希望するユーザのクライアントに的確に配信される。
【００５５】
また、本実施の形態において、配信設定管理部７０３は、登録されたクライアント毎に、配信を希望する緊急情報の対象エリアについて設定可能であり、クライアント特定部７０４は、配信設定管理部７０３に設定された対象エリアが、緊急情報アイテムが関わるエリアに含まれているクライアントを、当該緊急情報アイテムを配信すべきクライアントとして特定する。これにより、配信を希望する対象エリアに関する緊急情報が、ユーザのクライアントに的確に配信される。
【００５６】
また、本実施の形態において、受信部７０５は、クライアントの現在位置を示す位置情報を受信し、クライアント特定部７０４は、受信部７０５によって受信した位置情報が、緊急情報アイテムが関わるエリアに含まれているクライアントを、当該緊急情報アイテムを配信すべきクライアントとして特定する。これにより、クライアントの現在位置に関する緊急情報が、当該クライアントに的確に配信される。
【００５７】
また、本実施の形態において、配信設定管理部７０３は、登録されたクライアント毎に、近親者クライアントについて設定が可能であり、クライアント特定部７０４は、受信部７０５によって受信した近親者クライアントの位置情報が、緊急情報アイテムが関わるエリアに含まれているクライアントを、当該緊急情報アイテムを配信すべきクライアントとして特定する。これにより、クライアントのユーザが安否を知りたい人の現在位置に関する緊急情報が、当該クライアントに的確に配信される。
【００５８】
（他の実施形態）
以上のように、本出願において開示する技術の例示として、実施の形態１〜２を説明した。しかしながら、本開示における技術は、これに限定されず、適宜、変更、置き換え、付加、省略などを行った実施の形態にも適用可能である。また、上記実施の形態１〜２で説明した各構成要素を組み合わせて、新たな実施の形態とすることも可能である。
【００５９】
そこで、以下、他の実施の形態を例示する。
【００６０】
実施の形態１において、デジタル放送信号からＴＳデータを分離し、これを他のデータに多重化するものとしたが、これに限られるものではない。デジタル放送信号から所定の種類のストリームを分離し、多重化できる構成であれば、本開示は適用可能である。
【００６１】
実施の形態２において、図１０の動作フローに、緊急度による判定を加えてもよい。例えば、ステップＳ３の前に、クライアントが設定した緊急度を取得し、緊急情報アイテムの緊急度が設定された緊急度以上であるか否かを判定する処理を行えばよい。緊急情報アイテムの緊急度が設定された緊急度以上であるときは次ステップに進み、そうでないときは次のクライアントの確認処理に移ればよい。これにより、ユーザが求める緊急度の緊急情報のみが、当該クライアントに的確に配信される。
【００６２】
また、実施の形態２において、ステップＳ５で緊急情報を送信する際に、配信設定管理部７０３において管理された配信設定を参照して、配信言語を設定してもよい。例えば、緊急情報アイテムが日本語であり、配信言語が英語に設定されているときは、緊急情報アイテムを英語に変換して送信する。これにより、ユーザが求める言語による緊急情報が、当該クライアントに配信されるので、ユーザの利便性がより高まる。
【００６３】
また、実施の形態１と実施の形態２とを組み合わせて実施してもよい。図１２は実施の形態１，２を組み合わせた場合のサーバ装置の概略構成を示す図である。図１２のサーバ装置１５０は、図１の構成に、配信設定管理部７１０およびクライアント特定部７１１が追加されたものである。配信設定管理部７１０およびクライアント特定部７１１は、実施の形態２における配信設定管理部７０３およびクライアント特定部７０４と同様である。配信設定管理部７１０は、サーバ装置１５０に登録されたクライアント毎に、緊急情報の配信設定を管理する。クライアント特定部７１１は、配信設定管理部７１０に管理された配信設定を参照して、登録されたクライアントの中から、放送信号から分離された緊急情報アイテムを配信すべきクライアントを特定する。ネット送信部１０５は、クライアント特定部７１１によって特定されたクライアントに、緊急情報アイテムを送信する。
【産業上の利用可能性】
【００６４】
本開示は、入力された緊急情報を、配信を希望するユーザのクライアントに配信するサーバ装置に適用可能である。具体的には、デジタルテレビジョン放送、デジタルラジオやＤＡＢ等のデジタル放送を受信して、緊急情報を端末装置に通知するサーバ装置などに、本開示は適用可能である。
【符号の説明】
【００６５】
１００  サーバ装置
１０１  放送受信部
１０２  ＴＳ多重分離部（分離部）
１０４  ＴＳ多重化部（多重化部）
１０５  ネット送信部
３０１  ネット受信部
３０５  文字重畳部（重畳部）
７００  サーバ装置
７０１  入力部
７０２  送信部
７０３  配信設定管理部
７０４  クライアント特定部
【図３】
2013211816.tif 000003
【図５】
2013211816.tif 000004
【図６】
2013211816.tif 000005
【図７】
2013211816.tif 000006
【図８】
2013211816.tif 000007
【図１０】
2013211816.tif 000008
【図１１】
2013211816.tif 000009
【図１２】
2013211816.tif 000010
【図１】
2013211816.tif 000011
【図２】
2013211816.tif 000012
【図４】
2013211816.tif 000013
【図９】
2013211816.tif 000014